(57)【特許請求の範囲】
【請求項１】
所定の映像の第１の映像データを生成する第１のストリーム系と前記所定の映像の第２の映像データを生成する第２のストリーム系を搭載するコンピュータがディスプレイに前記所定の映像を表示する方法であって、
前記第１のストリーム系が第１の無線モジュールを通じて前記ディスプレイの表示特性に関する識別データを取得するステップと、
前記第１のストリーム系が前記第１の映像データを前記第１の無線モジュールを通じて切換回路に出力するステップと、
前記第２のストリーム系が第２の無線モジュールを通じて前記識別データを取得するステップと、
前記第２のストリーム系が前記第２の映像データを前記第２の無線モジュールを通じて前記切換回路に出力するステップと、
前記切換回路が前記第１の映像データを前記ディスプレイに出力するステップと、
前記第１の無線モジュールが受信する電波の受信強度を監視するステップと、
前記コンピュータが、前記受信強度が低下したと判断したときに前記第１の映像データに代えて前記第２の映像データを前記ディスプレイに出力するように前記切換回路を制御するステップと
を有する方法。
【請求項２】
前記コンピュータが、前記受信強度が復帰したと判断したときに前記第２の映像データに代えて前記第１の映像データを前記ディスプレイに出力するように前記切換回路を制御するステップを有する請求項１に記載の方法。
【請求項３】
前記コンピュータは、所定時間前記受信強度が所定値を超えたときに前記受信強度が復帰したと判断する請求項２に記載の方法。
【請求項４】
ディスプレイに代わってディスプレイの表示特性に関する識別データを出力することが可能なエミュレーション回路に無線で接続が可能で、第１のストリーム系と第２のストリーム系を搭載した電子機器であって、
前記エミュレーション回路から前記識別データを受け取った前記第１のストリーム系が生成した映像データを前記エミュレーション回路に出力する第１の無線モジュールと、
前記エミュレーション回路から前記識別データを受け取った前記第２のストリーム系が生成した映像データを前記エミュレーション回路に出力する第２の無線モジュールと、
前記第１のストリーム系が生成した映像データを前記ディスプレイに表示しているときに、前記第１の無線モジュールが受信する電波の受信強度が低下したことに応じて前記第２のストリーム系が生成した映像データを前記ディスプレイに表示するための切換信号を前記エミュレーション回路に出力するコントローラと
を有する電子機器。
【請求項５】
前記コントローラは、前記受信強度が復帰したときに前記第１のストリーム系が生成した映像データを前記ディスプレイに表示するための切換信号を前記エミュレーション回路に出力する請求項４に記載の電子機器。
【請求項６】
前記第１の無線モジュールは前記第２の無線モジュールよりも伝送速度が速い請求項４に記載の電子機器。
【請求項７】
前記第１の無線モジュールは前記第２の無線モジュールよりも指向性が強い請求項４に記載の電子機器。
【請求項８】
前記電子機器が、複数の使用モードで使用するためにディスプレイ筐体とシステム筐体を回動可能に結合するヒンジ機構を備える請求項４に記載の電子機器。
【請求項９】
電子機器の無線拡張装置であって、
ディスプレイを有線で接続するためのポートと、
前記電子機器から所定の映像を表示する第１の映像データを受信する第１の無線モジュールと、
前記電子機器から前記所定の映像を表示する第２の映像データを受信する第２の無線モジュールと、
前記電子機器に前記第１の無線モジュールおよび前記第２の無線モジュールを通じて前記ディスプレイの表示特性に関する識別データを送信するためのエミュレーション回路と、
前記第１の映像データおよび前記第２の映像データを受信しているときに、前記第１の無線モジュールに対応する無線モジュールが受信する電波の受信強度に応じて前記電子機器が生成した切換信号を受け取って前記第１の映像データまたは前記第２の映像データを前記ディスプレイに出力する切換回路と
を有する無線拡張装置。
【請求項１０】
前記ポートを通じて前記ディスプレイから前記識別データを受け取って前記エミュレーション回路に送るルータを有する請求項９に記載の無線拡張装置。
【請求項１１】
前記切換信号を前記電子機器から受信する第３の無線モジュールを有する請求項９に記載の無線拡張装置。
【請求項１２】
電子機器に無線で接続が可能なディスプレイであって、
前記電子機器から第１の映像データを受信する第１の無線モジュールと、
前記電子機器から第２の映像データを受信する第２の無線モジュールと、
前記電子機器に前記第１の無線モジュールおよび前記第２の無線モジュールを通じて前記ディスプレイの表示特性に関する識別データを送信するためのエミュレーション回路と、
前記第１の映像データおよび前記第２の映像データを受信しているときに、前記第１の無線モジュールに対応する無線モジュールが受信する電波の受信強度を監視する前記電子機器の指示に応じて前記第１の映像データまたは前記第２の映像データを表示する切換回路と
を有するディスプレイ。
【発明の詳細な説明】
【技術分野】
【０００１】
本発明は、電子機器に無線で接続するディスプレイの表示を安定させる技術に関する。
【背景技術】
【０００２】
コンピュータに、無線で外付けのディスプレイを接続する場合がある。無線接続は、コンピュータとディスプレイの位置関係を制約しないという利点がある一方で、電波の受信状態が何らかの影響を受けて映像が乱れる場合がある。以下、ラップトップ型コンピュータ（ラップトップ）をＷｉＧｉｇ（Wireless Gigabit）の通信規格で接続する場合を例示して説明する。ＷｉＧｉｇは、高速デジタル無線伝送が可能であるため、大型のディスプレイであっても動画を良好に表示できるが、アンテナの指向性が強いため、送信と受信のアンテナの相対的な位置関係の変化、またはアンテナ間の障害物により映像が乱れ、場合によっては表示が瞬断する。
【０００３】
特にラップトップは使用中の位置が移動することが多く、また、アンテナを実装するディスプレイ筐体の姿勢も変化する。ユーザは映像が乱れると、ラップトップの位置や姿勢を修正して対処している。特許文献１は、映像信号を無線送信するソース装置と無線送信された映像信号を受信してディスプレイに表示するシンク装置とを含む無線通信システムにおいて、シンク装置がＥＤＩＤ（Extended display identification data）をソース装置に送ることを記載する。
【０００４】
特許文献２は、外付けのディスプレイが接続された機能拡張装置とノートＰＣがＷＵＳＢ（Wireless Universal Serial Bus）で接続された様子を記載する。非特許文献１は、２台のコンピュータと１台のディスプレイを有線で接続する切替器を開示する。同文献には、切替器が、ディスプレイのＥＤＩＤを読み出して保存しておき、ＤＤＣ通信時にコンピュータの各ポートに応答してエミュレーションをすることを記載する。
【先行技術文献】
【特許文献】
【０００５】
【特許文献１】国際公開第２００７／０９４３４７号公報
【特許文献２】特開２００９−１７５８８１号公報
【非特許文献】
【０００６】
【非特許文献１】ディスプレイエミュレーション対応DVIパソコン自動切替器、［online］、製品品番SW-KVM2DUN、サンワサプライ株式会社、［平成２８年１月７日検索］、インターネット、〈URL: http://www.sanwa.co.jp/product/syohin.asp?code=SW-KVM2DUN〉
【発明の概要】
【発明が解決しようとする課題】
【０００７】
コンピュータは、ケーブルによる接続を認識したディスプレイにＥＤＩＤ（Extended Display Identification Data）を要求する。ＥＤＩＤは、ディスプレイ（シンクともいう）の不揮発性メモリに格納されており、ＤＤＣ（Display Data Channel）というシリアル通信で、コンピュータ（ソースともいう）に転送される。ＥＤＩＤは、ディスプレイの推奨解像度、リフレッシュ・レートおよびカラー特性などの当該ディスプレイが対応できる表示特性を記述している。ソースは良好な映像データを生成するためにＥＤＩＤを取得する必要がある。
【０００８】
無線伝送は有線伝送と異なってさまざまな要因で電波の受信状態が変化する。無線のリンクが切断された後に再接続されたときは、コンピュータが再度ディスプレイからＥＤＩＤを取得するまでの間ディスプレイの表示は停止する。そこで本発明の目的は、無線伝送路を経由して映像データを取得するディスプレイの表示を安定させる方法を提供することにある。さらに本発明の目的は、そのような方法を実現する電子機器、機能拡張装置およびディスプレイを提供することにある。
【課題を解決するための手段】
【０００９】
本発明の第１の態様は、コンピュータがディスプレイに所定の映像を表示する方法を提供する。コンピュータが、所定の映像の第１の映像データを第１の無線モジュールを通じて出力し、第１の映像データをディスプレイに出力し、第１の無線モジュールが受信する電波の受信強度を監視する。さらにコンピュータが、所定の映像の第２の映像データを第２の無線モジュールを通じて出力し、第１の無線モジュールが受信する電波の受信強度が低下したときに第２の映像データをディスプレイに表示する。
【００１０】
コンピュータは第１の映像データを第１の無線モジュールを通じて出力し、第２の映像データを第２の無線モジュールを通じて出力しているため、第１の無線モジュールが受信する電波の受信強度が低下したときに第２の映像データに切り換えることで映像の瞬断や乱れを最小限にすることができる。受信強度が復帰したと判断したときに第１の映像データをディスプレイに表示することができる。
【００１１】
このとき所定時間受信強度が所定値を超えたときに受信強度が復帰したと判断するようにすれば、不安定な状態で第１の無線モジュールに切り換えることを防ぐことができる。コンピュータは第１の無線モジュールを通じてディスプレイの表示特性に関する識別データを取得し、さらに第２の無線モジュールを通じて識別データを取得することができる。
【００１２】
本発明の第２の態様は、第１の無線伝送路を含む第１の伝送系を通じてコンピュータがディスプレイの表示特性に関する識別データを取得し、第２の無線伝送路を含む第２の伝送系を通じてコンピュータが識別データを取得する。さらに、所定の映像の第１の映像データと第２の映像データを第１の伝送系と第２の伝送系を通じて出力し、ディスプレイに表示する映像データのソースを第１の伝送系および第２の伝送系の間で切り換える。第１の伝送系と第２の伝送系は、いずれも識別データを取得しているため、切り換えをシームレスに行うことができる。
【００１３】
本発明の第３の態様は、コンピュータが生成した映像データをディスプレイに表示する方法を提供する。ディスプレイをエミュレーションし、コンピュータから第１の無線モジュールを通じて第１の映像データを受け取り、第２の無線モジュールを通じて第２の映像データを受け取る。さらに、第１の映像データをディスプレイに表示する。第１の映像データを表示しているときに、すでに第２の無線モジュールのデータ・ストリーム系のエミュレーションが終了しているため、第１の無線モジュールが受信する電波の受信強度が低下してもただちに第２の映像データに切り換えることができる。
【００１４】
このときディスプレイから取得した表示特性に関する識別データを第１の無線モジュールおよび第２の無線モジュールを通じてコンピュータに送ることができる。コンピュータから切換信号を受け取り、切換信号に応じて第２の映像データをディスプレイに表示することができる。切換信号は第２の無線モジュールを通じて受け取ることができる。
【発明の効果】
【００１５】
本発明により、無線伝送路を経由して映像データを取得するディスプレイの表示を安定させる方法を提供することができた。さらに本発明により、そのような方法を実現する電子機器、機能拡張装置およびディスプレイを提供することができた。
【図面の簡単な説明】
【００１６】
【図１】本実施の形態にかかる表示ステム１０の一例を説明するための図である。
【図２】ラップトップ１１の概略的な構成を示す機能ブロック図である。
【図３】ラップトップ１１の使用モードを説明するための図である。
【図４】無線拡張装置２１の概略的な構成を示す機能ブロック図である。
【図５】無線拡張装置２１に実装したエミュレーション回路２００の構成を示す機能ブロック図である。
【図６】エミュレーション回路２００が、デュアル・リンクを構成する手順を説明するためのフローチャートである。
【図７】無線拡張装置２１が、ディスプレイ３１に表示する映像を安定化する手順を説明するためのフローチャートである。
【発明を実施するための形態】
【００１７】
［表示システム］
図１は、本実施の形態にかかる表示ステム１０の一例を説明するための図である。ソースとしてのラップトップ１１は、一例において３つの無線伝送路で無線拡張装置２１と接続することができる。第１の無線伝送路は、一例として高速無線通信規格のＷｉＧｉｇとし、第２の無線伝送路は、一例としてＷｉＦｉ規格に基づいてインテル（登録商標）社が開発したＷｉＤｉ（Intel Wireless Display）とし、第３の無線伝送路はＢｌｕｅｔｏｏｔｈ（登録商標：ＢＴ）としている。
【００１８】
ＷｉＧｉｇはＷｉＤｉに比べて、伝送速度が速いため、大型のディスプレイの利用、マウス・ポインタやスクロール画面のような変化速度の速い動画の表示などに優れている。他方でＷｉＧｉｇは、指向性が強いため送信アンテナと受信アンテナの相対的な位置関係の変化、アンテナの姿勢の変化、および介在物などの影響を受けやすい。ただし、本発明において、第１の無線伝送路と第２の無線伝送路の無線通信規格は特に限定する必要は無い。また、伝送速度の相違や指向性の相違の有無なども本発明を限定する要素にはならない。
【００１９】
本発明において第３の無線伝送路は、ＷＵＳＢ（Wireless USB）などの他の通信規格を採用してもよいし、これを省略して第１の無線伝送路および第２の無線伝送路を利用してもよい。無線拡張装置２１は、ドッキング・ステーションまたはポート・リプリケータなどといわれるラップトップ１１の機能拡張装置、または、ディスプレイ３１のラップトップ１１に対する無線アダプタとすることができる。
【００２０】
無線拡張装置２１とディスプレイ３１は、一例において、ＴＭＤＳ（Transition Minimized Differential Signaling）ライン、ＤＤＣ（Display Data Channel）ライン、ＨＰＤ（Hot Plug Detect）ラインを含むＤＰ（Display Port）規格の有線の伝送方式で接続する。他の例において、無線拡張装置２１とディスプレイ３１は、ＨＤＭＩ（登録商標：High-Definition Multimedia Interface）、ＤＶＩ（Digital Visual Interface）、ＶＧＡ（Video Graphics Array）などの他の規格のインターフェースで接続してもよい。
【００２１】
［ソース］
図２は、ラップトップ１１の概略的な構成を示す機能ブロック図である。システム・ユニット１０１は、ＣＰＵ、システム・メモリ、およびチップ・セットなどのハードウェアとデバイス・ドライバ、ＯＳ、およびアプリケーション・プログラムなどのソフトウェアで構成した周知の要素である。システム・ユニット１０１は、本実施の形態において、ディスプレイ３１に表示する映像の描画命令を出力する。
【００２２】
グラフィックス・カード１０３は、ＧＰＵ、ビデオＢＩＯＳおよびビデオ・メモリ（ＶＲＡＭ）などを備えており、システム・ユニット１０１からの描画命令に基づいて、＃１ストリーム系１０３ａ〜＃３ストリーム系１０３ｃがそれぞれ映像データを生成して下位のインターフェースに適合する規格の信号で出力することができる。一例において、＃１ストリーム系１０３ａはＷｉＧｉｇモジュール１１１に出力し、＃２ストリーム系１０３ｂはＷｉＤｉモジュール１１３に出力し、＃３ストリーム系１０３ｃはＤＰポート１１５に出力する。ＤＰポート１１５には、ラップトップ１１が搭載するディスプレイ１５３（図３）を接続する。ここに、映像データは音声データおよび静止画像データを含んでもよい。
【００２３】
コントローラ１０５は、ＷｉＧｉｇモジュール１１１およびＷｉＤｉモジュール１１３から電波の受信強度（ＲＳＳＩ）値を受信する。ここにＲＳＳＩ値は、無線拡張装置２１（図４）が搭載するＷｉＧｉｇモジュール２０１およびＷｉＤｉモジュール２１１が発信する電波の受信強度に相当する。コントローラ１０５は、ＷｉＧｉｇモジュール１１１のＲＳＳＩ値が所定値未満になったときに、または、無線接続が切断したときに、一例としてＢＴモジュール１１７を通じて無線拡張装置２１に切換信号を送ってディスプレイ３１に表示する映像データのソースを＃２ストリーム系１０３ｂに切り換える。
【００２４】
コントローラ１０５は、ＷｉＧｉｇモジュール１１１のＲＳＳＩ値が所定値以上になったときに、一例としてＢＴモジュール１１７を通じて無線拡張装置２１に切換信号を送ってディスプレイ３１に表示する映像データのソースを＃１ストリーム系１０３ａに切り換える。コントローラ１０５は、切換信号をＷｉＧｉｇモジュール１１１またはＷｉＤｉモジュール１１３から出力するようにしてもよい。
【００２５】
図３は、ラップトップ１１の使用モードを説明するための図である。一例において、ラップトップ１１はマルチ・ユース・モードで使用することができ。図３（Ａ）に外形を示すラップトップ１１は、ディスプレイ１５３を収納するディスプレイ筐体１５１とキーボード１５９およびタッチ・パッド１６１を搭載するシステム筐体１５７がヒンジ機構１５５ａ、１５５ｂで回動できるように結合されている。ディスプレイ筐体１５１の上部には、ＷｉＧｉｇモジュール１１１、ＷｉＤｉモジュール１１３およびＢＴモジュール１１７にそれぞれ接続された複数のアンテナ１７１を配置している。
【００２６】
ラップトップ１１は、システム筐体１５７に対するディスプレイ筐体１５１の開閉角度θを、０度から３６０度までの間のいずれかまで回動させて、クローズ・モード、ラップトップ・モード、テント・モード、スタンド・モード、およびタブレット・モードのいずれかの使用モードで使用できる。図３（Ｂ）は、開閉角度θが０度に対応するクローズ・モードを示している。クローズ・モードでは、無線拡張装置２１を経由してディスプレイ３１や、外部マウスおよび外部キーボードなどを接続してラップトップ１１をデスクトップ型コンピュータのように使用することができる。
【００２７】
図３（Ｃ）〜図３（Ｆ）は、開閉角度θを所定の範囲にし、さらに、筐体の天地方向を変えた使用モードを示している。図３（Ｃ）は図３（Ａ）に対応するラップトップ・モードを示し、図３（Ｄ）はテント・モードを示し、図３（Ｅ）はスタンド・モードを示している。図３（Ｆ）は、開閉角度θが３６０度のタブレット・モードを示している。ラップトップ１１では、使用モードが変化するたびに、アンテナ１７１の無線拡張装置２１に対する位置が変化する。
【００２８】
［無線拡張装置］
図４は、無線拡張装置２１の概略的な構成を示す機能ブロック図である。無線拡張装置２１は、ディスプレイ３１の他に図示しないキーボード、マウス、ハードディスク・ドライブおよびプリンターのようなさまざまな入出力装置を接続してラップトップ１１の機能を拡張することができる。ＷｉＧｉｇモジュール２０１、ＷｉＤｉモジュール２１１およびＢＴモジュール２２１は、それぞれラップトップ１１が実装するＷｉＧｉｇモジュール１１１、ＷｉＤｉモジュール１１３およびＢＴモジュール１１７と無線通信をする。
【００２９】
ＷｉＧｉｇモジュール２０１は、ＴＭＤＳライン２０２でバス・スイッチ２３１の第１の入力端子に接続される。エミュレータ２０３は、ＤＤＣ／ＨＰＤライン２０４でＷｉＧｉｇモジュール２０１と、ルータ２３３の第１の入力端子に接続される。ＷｉＤｉモジュール２１１は、ＴＭＤＳライン２１２でバス・スイッチ２３１の第２の入力端子に接続される。エミュレータ２１３はＤＤＣ／ＨＰＤライン２１４でＷｉＤｉモジュール２１１と、ルータ２３３の第２の入力端子に接続される。
【００３０】
ＢＴモジュール２２１は、ルータ２３３の第３の入力端子に接続される。バス・スイッチ２３１の出力端子は、ＴＭＤＳライン２３２でＤＰポート２３５に接続される。ルータ２３３の出力端子は、ＤＤＣ／ＨＰＤライン２３４でＤＰポート２３５に接続される。さらにルータ２３３の制御端子は、バス・スイッチ２３１の制御端子に接続される。
【００３１】
ＷｉＧｉｇモジュール２０１およびＷｉＤｉモジュール２１１はそれぞれ、エミュレーションが終了したラップトップ１１から同一の映像を表示するための異なる映像データを受け取り、ディスプレイ３１のインターフェース規格（この場合ＤＰ）に適合する映像信号を、ＴＭＤＳライン２０２、２１２を通じてバス・スイッチ２３１に出力する。ルータ２３３は、ディスプレイ３１からＥＤＩＤを取得してエミュレータ２０３、２１３に転送する。
【００３２】
ルータ２３３は、ＷｉＧｉｇモジュール２０１およびＷｉＤｉモジュール２１１を通じて＃１ストリーム系１０３ａ、および＃２ストリーム系１０３ｂに対してディスプレイ３１をエミュレーションするために、エミュレータ２０３、２１３の動作を制御する。ルータ２３３は、ＢＴモジュール２２１を通じて受け取った切換信号に基づいてバス・スイッチ２３１を切り換える。
【００３３】
［エミュレーション回路］
図５は、無線拡張装置２１に実装したエミュレーション回路２００の構成を示す機能ブロック図である。エミュレーション回路２００は、エミュレータ２０３、２１３、およびルータ２３３で構成している。エミュレータ２０３、２１３、およびルータ２３３は、ハードウェア・ロジック回路またはファームウェアとＣＰＵを含むマイクロ・コントローラで構成することができる。エミュレータ２０３、２１３、およびルータ２３３は、それぞれＤＤＣプロトコルを実行するＥＤＩＤ回路と、ディスプレイ３１のＥＤＩＤ３１ａを格納するための不揮発性メモリ（ＥＥＰＲＯＭ）２０３ａ、２１３ａ、２３３ａを含む。
【００３４】
エミュレータ２０３、２１３は、それぞれＨＰＤ端子が抵抗およびＦＥＴ２５１、２５３を介して５Ｖの電源に接続されている。ＦＥＴ２５１、２５３のゲートはそれぞれ、ルータ２３３のＨＰＤ１端子、ＨＰＤ２端子に接続されている。エミュレータ２０３、２１３のＤＤＣＣＬＫ端子、ＤＤＣＤＡＴＡ端子はそれぞれＤＤＣライン２６１、２６３で、ルータ２３３のＤＤＣＣＬＫ１端子、ＤＤＣＤＡＴＡ１端子、ＤＤＣＣＬＫ２端子、ＤＤＣＤＡＴＡ２端子に接続されている。
【００３５】
ルータ２３３のＨＰＤ３端子、５Ｖ端子、およびＧＮＤ端子は、ディスプレイ３１のＨＰＤ端子、５Ｖ端子、およびＧＮＤ端子に接続されている。ルータ２３３のＤＤＣＣＬＫ３端子、ＤＤＣＤＡＴＡ３端子はそれぞれＤＤＣライン２６５で、ディスプレイ３１のＤＤＣＣＬＫ端子、ＤＤＣＤＡＴＡ端子に接続されている。ＤＤＣライン２６１、２６３、２６５はクロック・ライン（ＤＤＣＣＬＫ）とデータ・ライン（ＤＤＣＤＡＴＡ）を使って、一方がマスタとなり他方がスレーブとなるＩ２Ｃのプロトコルでデータ転送をする。
【００３６】
エミュレータ２０３、２１３およびルータ２３３は、後に説明する手順でラップトップ１１との間に同じ映像を表示するための異なる映像データを同時に２系統で受信する２つの伝送路（デュアル・リンク）を構築する。ただし、本発明はＷｉＧｉｇモジュール２０１、ＷｉＤｉモジュール２１１に加えて、さらに他の無線モジュールを追加し、３つ以上のリンクを同時に構成するようにしてもよい。
【００３７】
なお、図１〜図５は本実施の形態を説明するために、本実施の形態に関連する主要なハードウェアの構成および接続関係を簡略化して記載したに過ぎないものである。ここまでの説明で言及した以外にも、ラップトップ１１、および無線拡張装置２１を構成するには多くのデバイスが使われる。しかしそれらは当業者には周知であるので、ここでは詳しく言及しない。図で記載した複数のブロックを１個の集積回路もしくは装置としたり、逆に１個のブロックを複数の集積回路もしくは装置に分割して構成したりすることも、当業者が任意に選択することができる範囲においては本発明の範囲に含まれる。
【００３８】
［デュアル・リンクの構成手順］
図６は、エミュレーション回路２００が、デュアル・リンクを構成する手順を説明するためのフローチャートである。ブロック３０１で無線拡張装置２１のＷｉＧｉｇモジュール２０１、ＷｉＤｉモジュール２１１、およびＢＴモジュール２２１は、ラップトップ１１と無線で接続している。ディスプレイ３１は、無線拡張装置２１に接続されていないか、または、ＥＤＩＤ回路に電源が供給されないためＨＰＤ信号をアサートしていない。ラップトップ１１のグラフィックス・カード１０３は、ディスプレイ３１の接続を認識していない。
【００３９】
グラフィックス・カード１０３の＃１ストリーム系１０３ａおよび＃２ストリーム系１０３ｂは、それぞれ、ＷｉＧｉｇモジュール１１１、ＷｉＤｉモジュール１１３を通じてＨＰＤ信号を受け取るまで映像データの出力を待機する。ルータ２３３はＨＰＤ１端子およびＨＰＤ２端子をディスエーブルに設定し、ＦＥＴ２５１、２５３は開いている。ブロック３０３で、ケーブルで無線拡張装置２１のＤＰポート２３５にディスプレイ３１が接続されると、ルータ２３３がディスプレイ３１のＥＤＩＤ回路に５Ｖの電圧を印加する。ディスプレイ３１のＥＤＩＤ回路が、ＨＰＤ端子をアサートするとルータ２３３は、ＨＰＤ３端子でそれを検出する。
【００４０】
ルータ２３３が、ＤＤＣライン２６５を通じてディスプレイ３１にＥＤＩＤを要求すると、ディスプレイ３１のＥＤＩＤ回路はＥＥＰＲＯＭに格納していたＥＤＩＤ３１ａをルータ２３３に転送する。ルータ２３３は受け取ったＥＤＩＤ３１ａをＥＥＰＲＯＭ２３３ａに格納する。ソースとして動作するルータ２３３がＨＰＤ信号を検出してからシンクとして動作するディスプレイからＥＤＩＤを取得する手順をＥＤＩＤプロセスという。ラップトップ１１のＤＰポート１１５にディスプレイ１５３を接続したときも同様の手順でＥＤＩＤプロセスが実行される。
【００４１】
ブロック３０５で、ルータ２３３が＃１ストリーム系１０３ａに対してディスプレイ３１をエミュレーションする。エミュレーションは、ディスプレイ３１に代わってルータ２３３およびエミュレータ２０３、２５３がラップトップ１１にそれぞれのリンクを通じてＥＤＩＤ３１ａを送る手順をいう。最初にルータ２３３が、ＨＰＤ１端子をイネーブルに設定すると、ＦＥＴ２５１が閉じてエミュレータ２０３はＨＰＤ信号を検出する。エミュレータ２０３が検出したＨＰＤ信号はＷｉＧｉｇモジュール１１１を通じて＃１ストリーム系１０３ａに転送される。さらに、ＨＰＤ端子がアサートされたエミュレータ２０３は、ルータ２３３に対してＥＤＩＤプロセスを実行し、ＤＤＣライン２６１を通じてルータ２３３からＥＤＩＤ３１ａを取得してＥＥＰＲＯＭ２０３ａに格納する。
【００４２】
ＨＰＤ信号を受信した＃１ストリーム系１０３ａはソースとして動作してＥＤＩＤプロセスを実行し、エミュレータ２０３からＥＤＩＤ３１ａを取得する。ＥＤＩＤ３１ａを取得した＃１ストリーム系１０３ａは、ＷｉＧｉｇモジュール１１１を通じて映像データを出力する。ルータ２３３はＤＤＣライン２６１を閉じてブロック３０７に移行する。ブロック３０７で、＃１ストリーム系１０３ａが出力したＥＤＩＤ３１ａに適合する映像データは、ＴＭＤＳライン２０２（図４）でバス・スイッチ２３１まで転送される。この時点でバス・スイッチ２３１を制御して、映像データをディスプレイ３１に表示することもできる。
【００４３】
ブロック３０９で、ルータ２３３が＃２ストリーム系１０３ｂに対してディスプレイ３１をエミュレーションする。ルータ２３３が、ＨＰＤ２端子をイネーブルに設定してＦＥＴ２５３を閉じると、エミュレータ２１３はＨＰＤ信号を検出する。エミュレータ２１３が検出したＨＰＤ信号はＷｉＤｉモジュール２１１を通じて＃２ストリーム系１０３ｂに転送される。さらに、ＨＰＤ端子がアサートされたエミュレータ２１３は、ルータ２３３に対してＥＤＩＤプロセスを実行し、ＤＤＣライン２６３を通じてルータ２３３からＥＤＩＤ３１ａを取得してＥＥＰＲＯＭ２１３ａに格納する。
【００４４】
ＨＰＤ信号を受信した＃２ストリーム系１０３ｂはソースとして動作してＥＤＩＤプロセスを実行し、エミュレータ２１３からＥＤＩＤ３１ａを取得する。ＥＤＩＤ３１ａを取得した＃２ストリーム系１０３ｂは、ＷｉＤｉモジュール１１３を通じて映像データを出力する。ルータ２３３はＤＤＣライン２６３を閉じてブロック３１１に移行する。ブロック３１１で、＃２ストリーム系１０３ｂが出力したＥＤＩＤ３１ａに適合する映像データは、ＴＭＤＳライン２１２（図４）でバス・スイッチ２３１まで転送される。
【００４５】
この時点で、＃１ストリーム系１０３ａと＃２ストリーム系１０３ｂがそれぞれ映像データをバス・スイッチ２３１まで送ることで映像データのデュアル・リンクが構築される。ブロック３０５とブロック３０９の手順は、いずれを先にしてもよい。ブロック３１３でルータ２３３は、一例として、ラップトップ１１のコントローラ１０５からＢＴモジュール２２１を通じてＴＭＤＳライン２１２への切換指示がない限りＴＭＤＳライン２０２をＤＰポート２３５に接続する。ブロック３１３の手順は、ブロック３０７の手順の直後に実行してもよい。ここまでの手順で＃１ストリーム系１０３ａの映像データがディスプレイ３１に表示される。
【００４６】
[表示を安定化する手順]
図７は、無線拡張装置２１が、ディスプレイ３１に表示する映像を安定化する手順を説明するためのフローチャートである。ＷｉＧｉｇは伝送速度が速いためＷｉＤｉに比べて、動画、スクロール画面、またはマウス・ポインタなどの表示に適している。従って、本実施の形態においては、一例としてディスプレイ３１に、ＷｉＧｉｇの受信強度が所定値以上の場合は＃１ストリーム系１０３ａの映像データを出力し、ＷｉＧｉｇの受信強度が所定値より低下した場合はＷｉＤｉを通じて＃２ストリーム系１０３ｂの映像データを出力する。
【００４７】
ブロック４０１でディスプレイ３１は、＃１ストリーム系１０３ａが出力する映像データを表示している。ブロック４０３で、コントローラ１０５はＷｉＧｉｇモジュール１１１から取得したＷｉＧｉｇモジュール２０１が発信する電波のＲＳＳＩ値が所定値より低下したとき、または、ＷｉＧｉｇモジュール１１１とＷｉＧｉｇモジュール２０１の通信が切断したときに、ブロック４０４に移行する。
【００４８】
ブロック４０４で、ＷｉＤｉモジュール２１１のＲＳＳＩ値が所定値以上のときは、ブロック４０５に移行する。ＷｉＤｉはＷｉＧｉｇに比べて指向性が弱いため、アンテナの姿勢や介在物の存在に対しても安定して送受信できる。したがってブロック４０４の手順はスキップしてもよい。ブロック４０５でコントローラ１０５は、ＢＴモジュール１１７を通じて＃２ストリーム系１０３ｂに切り換えるための切換信号を出力する。
【００４９】
切換信号を受信したルータ２３３は、バス・スイッチ２３１を制御して、ＴＭＤＳライン２１２とＤＰポート２３５を接続する。ブロック４０７でディスプレイ３１は、＃２ストリーム系１０３ｂの映像データを表示する。＃２ストリーム系１０３ｂが出力した映像データは、切り換え前にＴＭＤＳライン２１２でバス・スイッチ２３１まで転送されているため、切換に伴う映像の乱れは少ない。
【００５０】
ブロック４０９でコントローラ１０５は、定期的にＷｉＧｉｇモジュール１１１からＲＳＳＩ値を取得して、＃１ストリーム系１０３ａが出力する映像データの安定性を間接的に監視している。コントローラ１０５は、所定時間以上、ＲＳＳＩ値が所定値を超えたことで電波の安定性を確認したときに、＃１ストリーム系１０３ａが出力する映像データへの切換信号を送る。すなわちコントローラ１０５は、ＷｉＧｉｇモジュール１１１のＲＳＳＩ値が安定するまでは、＃２ストリーム系１０３ｂの映像データを出力した方が良好な表示ができると判断する。
【００５１】
ブロック４１１で切換信号を受信したルータ２３３は、バス・スイッチ２３１を制御して、ＴＭＤＳライン２０２とＤＰポート２３５を接続する。ブロック４１３でディスプレイ３１は、＃１ストリーム系１０３ａの映像データを表示する。＃１ストリーム系１０３ａが出力した映像データは、切り換え前にＴＭＤＳライン２０２でバス・スイッチ２３１まで転送されているため、このときも映像の乱れは少ない。
【００５２】
デュアル・リンクの利用形態は上記以外にも存在する。たとえば、ＷｉＤｉの伝送速度が、システム・ユニット１０１が作成した映像データの表示に十分な場合、または、第２の無線モジュールとしてＷｉＤｉに代わるより高速な伝送速度の規格を採用する場合は、当該無線モジュールのＲＳＳＩ値が低下するまで＃２ストリーム系１０３ｂの映像データの表示を継続することができる。エミュレータ２０３、２１３は、ルータ２３３に組み込むこともできる。また、エミュレーション回路２００は、ディスプレイ３１のなかに組み込むこともできる。また、コントローラ１０５は、切換信号をＢＴモジュール１１７に代えて、ＷｉＧｉｇモジュール１１１またはＷｉＤｉモジュールを利用して送信することもできる。
【００５３】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００５４】
１０  画像表示システム
１１  ラップトップ
２１  無線拡張装置
３１  ディスプレイ
１０３  グラフィックス・カード
２００  エミュレーション回路
２０３、２１３  エミュレータ
２３１  バス・スイッチ
２３３  ルータ
２３５  ＤＰポート
【図１】
0006340155.tif 000002
【図２】
0006340155.tif 000003
【図３】
0006340155.tif 000004
【図４】
0006340155.tif 000005
【図５】
0006340155.tif 000006
【図６】
0006340155.tif 000007
【図７】
0006340155.tif 000008